(57)【要約】      （修正有）【課題】自然の運動エネルギーをエコサイクルエネルギーとして活用する原動力機。【解決手段】勾配のある川、水路、渓流などに本体３を固定し、前方軸４と後方軸５に固定した歯車間に張られたチェーン１６に水受け皿６〜１５を設置し、前方軸４側の水受け皿６から後方軸５までの間にある水受け皿７、８、９、１０が水流の運動エネルギーを各自受け取って本体３の伝導歯車に総合エネルギーを伝える物で、後方軸の回転により水に酸素を含ませ活性化させる環境に優しい運動エネルギー収結機。【選択図】図１
2011080459.tif 000002
【特許請求の範囲】
【請求項１】
この発明は、小さな運動エネルギーを前方軸と後方軸の間にあるエネルギーを収結して原動力に総合エネルギーとして活用する方法である。
【発明の詳細な説明】
【０００１】水には水蒸気になったり収束、発散、結露など様々な自然エネルギー現象を繰り返している。
時には偉大な雷であったり、水の惑星と言われる地球は川や、渓流など至る所でその光景を見ることができる。
その、自然に起こるエネルギーをエコサイクルエネルギーとして活用する方法を解明したものである。
【産業上利用の分野】
【０００２】自然の時間の中には晴天であったり、曇り空や梅雨、雷、台風、雪など様々な四季がある。
雷は、偉大なエネルギーを一瞬にして消えてしまう。あのエネルギーを充電出来ないのか？一瞬でなくとも日常の永い時間帯を要得ればそれらに匹敵することはあり得ると感じた。
少ない水流を利用してそこに生活するものだけで良いではないだろうか。
農業用水における管理、建設工事の一時的使用。一家庭における電気代など小規模ではあるが、各地域では限りない場所にある。
石油の制限を余儀なくされる近代の環境変化は少しずつ何らかの対策を行わなければならないであろう。
手軽な物であれば利用する方にとって便利であると言えるのではないでしょうか。
【背景技術】
【０００３】近代では、太陽光発電、風力発電、水力発電、核融合発電、石油などのボイラー発電などがある。
一般に古くは、水力を利用した水車があった。水量が少なくなると回転しなくなり最近では見かけることも少なくなり、時代にはそれ以上の新しい技術やコスト的な問題もある。
水力発電では急斜面を利用してタービンを回転させ落下して原動力を得ているがこの場合、水の量が大量でなければならないし、大掛かりである。
【発明が解決しようとする課題】
【０００４】少ない水でも原動力に変え方法。
水車の場合、原型が大きく箱形の場合は早く回転すると水が残りその構造が問題になる。石油の場合、ボイラーから出るｃｏ２が問題になり、今期の政策では２５パーセント削減が目標となっている。
【課題を解決しようとする手段】
【０００５】私たちの環境では水がいつも流れていて切れることはない。以前に、プラスチックで実験をしようとしたが以外に物体が大きくなって、その割に強度が問題となっていた。と、そんな時建設現場から廃材で新品のステンレスを確保した。切り残りで使える物の、すぐに次の現場でも切り捨てが出来るとあって廃材に余儀なくされている。
長さ的に寸法は、小川や、渓流、用水路には十分のものであり、お裾分けしていただいた。
水車を例に、いつも水源ある限り天候に左右されにくく、夕立や台風の対策を考えれば十分活用すると考えた。
初めは、空気タンクから問題に入り大雨に浮かす方法を考えたが水の取り込みが悪く回転しなかった。
構造は、回転軸を変えて複数にしたらどうだろうかと。水車のように高さも問題ありで、水平にその分水受けを作るべきだと考案した。
前方軸と、後方軸に水受けを多く取り得たならどうだろうかと。
【実施例】
【０００６】農業用水路（土地持ち主、兄）幅１．５メートル、深さ１．２メートル、水流の高さ（緩やか）９センチ、傾斜角度１０：２，斜面水高さ３センチ、（気象変化により２センチから３０センチ）平均高さ２から３センチ、水受け皿幅５０センチ、８センチ二つ割。水受け皿１個で、上流で満杯停止業態、６キログラム、下流７キログラム。
実験使用図２。チエーン幅２．３センチ、水受け皿連結１０個、本体との隙間両サイドステンレス板２センチ、厚み２ミリ。
初めは、チエーンと歯車のかみ合い悪く修正。後に回転テスト開始。
１分間１３０回転から水の量に応じて１分間１４０回転で１０日間連続回転。
１０日目ステンレスバンド（両サイドの隙間板）が切れ、水受け皿にもこすれる部分に破損した。
【対策２】
【０００７】本体と水受け皿の隙間をもうけ、水受け皿のチエーン部分の外にベアリングを２０個取り付け、隙間が一定するようにレールを本体の両サイドに溶接した。
回転実験、１分間８０回転と回転が下がった。隙間を１センチに設けたたためと、水量が候天続きで少なく斜面では２センチに水位が下がりその上、傾斜がずれて片方は水位が無く平均２センチ位。隙間をもう少し精密に下げるべきである。
【０００８】騒音はさほど気にしない程度で鉄板隙間は金音も混じって鈴虫の発生する音程度。対策２では、水をモム音で前方、上空に一寸高く聞こえる。
魚や、生物が通れるように水位のある方は使用せず水路幅に余裕がある。
【０００９】ベアリング取り付けでは、建設機械、ブルドウザーやユンボーに見られるが本体の軸側に取り付けてあり移動する部分とは全く違う方法で、チエーンの弛みを防止するために要得た。騒音も少なくなった。
【利用する分野】
【００１０】地球の引力を利用した原動力で、水圧、加速、量に関係していてこのエネルギーは遠心力とは反対の外心力から来る変化のある引力に値する。
浮力にも関係していて物体の質量に関係する。
また、水は空気と温度によって水蒸気になり季節や温度によって異なるが、熱を加えると沸騰する。その際気泡に変わり変化するものとなっている。
【角度を変えた利用の分野】
【００１１】軸と軸の間にある水受け皿は物質の違いを取り込む物で半球体は抵抗が少なく受けやすい。
図１を水中の中に縦に取り付け水受け皿に空気を送ると密度の差によって浮力回転する。
また、それらの方法に水が沸騰する際に出る気泡を利用すれば同じ理屈に値する。
沸騰寸前の温度で環境を作りそこに沸騰させるとその温度差は少なくて済む。
【００１２】物質の違いにより変化を引力によって起こす物で空気と水圧の関係にある。そこで、水力の原動力で電気に変えａ地点からｂ地点にエネルギーを送り、モーターで物質の質量の多い物で引力の高低差を設備するとエネルギーを保管でき、四次限的な設定を出来る。本来、バッテリーと言う方法もあるが寿命の違いを生かせれば安全面にも価値がある。
【作用】
【００１３】図１に軸（４）と軸（５）に間隔をもうけ、水受け皿（半円筒）を数でチエーンで繋ぎ、軸にはそれを回転させる歯車が付いている。
これらを本体（３）に取り付け水流で斜面のある箇所に取り付ける。
水誘導板（１）から本体に流れ水圧と水量で水受け皿（６）に当たるとその運動エネルギーが作用して水受け皿は（７）に移動する。そこに、チエーンの弛みを防止するためと、隙間を一定にするため、ベアリング（３１）が取り付けてある。水圧は次の水受け皿（６）に水圧を受けて汲むようになり水受け皿は（８）（９）に押し出される。後方軸（５）に来ると水受け皿は（１０）に大きく反転して早くなり水をモミ、酸素を加えて下流に流れる。
水受け皿（１１）は反転して空のまま前方軸（４）に来ると反転して早くなり大きく回転して初めの水受け皿（６）に来て一周する。（６）と（７）には水を圧縮する。
【力学】
【００１４】水圧は、水量の水受け皿（６）で汲み受け圧縮、水受け皿（７）（８）（９）で加算、加速をつけ軸（５）で反転して円筒、回転のため抵抗は少なく早く切り替え、空のまま一周する。これらの抵抗を省いたエネルギーが軸（４）の軸ベアリング（２０）を関連して伝導歯車（２２）に総合エネルギーとして活用して、環境に優しい運動エネルギー収結機。
【図面の簡単な説明】
【図１】発明の斜視図である。
【図２】実験の実態写真。
【符号の説明】１    水誘導板                    ２９  カムワッシャー
２    丁板                        ３０  調節リングｂ
３    本体及び鉄板                ３１  ベアリング
４    前方軸及び歯車              ３２  チエーン止めピン
５    後方軸及び歯車
６    水受け皿、取り込み
７    水受け皿、加速１
８    水受け皿、加速２
９    水受け皿、加速３
１０  水受け皿、水モミ
１１  水受け皿、空
１２  水受け皿、空
１３  水受け皿、空
１４  水受け皿、空
１５  水受け皿、空
１６  チエーン
１７  チエーンリング
１８  ワッシャー
１９  チエーンピン
２０  軸ベアリング
２１  調節リング
２２  伝導歯車
２３  スプリングワッシャー
２４  ワッシャー
２５  軸ボルト
２６  スプリングワッシャー
２７  ワッシャー
２８  ベアリングボルト
【図１】
2011080459.tif 000003
【図２】
2011080459.tif 000004